(57)【要約】【課題】対象ユーザの健康状況を関係者が把握可能な健康管理システムを提供する。【解決手段】対象ユーザの健康状況を把握可能な健康管理システムであって、当該健康管理システムは、サーバ１０と医療従事者用端末３０と対象ユーザ家族用端末５０とを備え、サーバ１０は、対象ユーザ識別情報に関連付けて対象ユーザ情報が記憶されている対象ユーザ情報記憶手段と、対象ユーザの家族を識別する家族識別情報、あるいは医療従事者を識別する医療従事者識別情報に関連付けて、対象ユーザ識別情報が記憶されている対応識別情報記憶手段と、前記家族識別情報、あるいは前記医療従事者識別情報を受信すると、対応する対象ユーザ識別情報を特定し、特定された対象ユーザ識別情報に関連付けて記憶されている対象ユーザ情報を前記医療従事者用端末、あるいは前記対象ユーザ家族用端末に出力する制御手段とを有する構成とした。【選択図】図１
2016186771.tif 000002
【特許請求の範囲】
【請求項１】
対象ユーザの健康状況を把握可能な健康管理システムであって、
当該健康管理システムは、サーバと医療従事者用端末と対象ユーザ家族用端末とを備え、
前記サーバは、
対象ユーザ識別情報に関連付けて対象ユーザ情報が記憶されている対象ユーザ情報記憶手段と、
対象ユーザの家族を識別する家族識別情報、あるいは医療従事者を識別する医療従事者識別情報に関連付けて、対象ユーザ識別情報が記憶されている対応識別情報記憶手段と、
前記家族識別情報、あるいは前記医療従事者識別情報を受信すると、対応する対象ユーザ識別情報を特定し、特定された対象ユーザ識別情報に関連付けて記憶されている対象ユーザ情報を前記医療従事者用端末、あるいは前記対象ユーザ家族用端末に出力する制御手段とを有することを特徴とする、健康管理システム。
【請求項２】
前記健康管理システムは、更に、血圧計と接続された対象ユーザ用端末を備え、
当該対象ユーザ用端末は、前記血圧計から対象ユーザの血圧測定結果を受信すると、前記サーバに出力し、
サーバの前記制御手段は、血圧測定結果を受信すると、当該血圧測定結果を対象ユーザ識別情報に関連付けて記憶させることを特徴とする、請求項１に記載の健康管理システム。
【請求項３】
サーバの前記制御手段は、前記対象ユーザ用端末から対象ユーザ用端末識別情報を受信すると、受信した対象ユーザ用端末識別情報に基づいて、対象ユーザ情報記憶手段内を検索し、受信した対象ユーザ用端末識別情報から特定された対象ユーザ識別情報に関連付けて記憶されている対象ユーザ情報を前記対象ユーザ用端末に出力する特徴とする、請求項２に記載の健康管理システム。
【請求項４】
前記対象ユーザ情報記憶手段には、対象ユーザ情報として所見と、当該所見に関連付けてアクセス制御情報が記憶されており、
サーバの前記制御手段は、関連付けて記憶されているアクセス制御情報の内容に応じて、前記所見を前記対象ユーザ家族用端末又は前記対象ユーザ用端末に出力するか否かを判断し、非開示である旨のアクセス制御情報が関連付けられた所見については出力しないことを特徴とする、請求項３に記載の健康管理システム。
【請求項５】
前記対象ユーザ用端末は、
対象ユーザ情報を表示する対象ユーザ用端末表示手段と、
前記サーバからしきい値、血圧測定結果を含む前記対象ユーザ情報を受信すると、血圧測定結果である最高血圧と最低血圧を夫々、時系列に沿って、折れ線グラフで表示させる制御を行い、
グラフ図上のしきい値以上の領域と、しきい値より低い領域とで夫々、別の背景色で表示させる制御を行い、
最高血圧値及び最低血圧値の各測定結果について、対応するしきい値と比較判定し、グラフ上にプロットされた各血圧値近傍の所定の範囲を、判定結果に応じた背景色で表示させる制御を行う対象ユーザ用端末制御手段とを有することを特徴とする、請求項３に記載の健康管理システム。
【発明の詳細な説明】
【技術分野】
【０００１】
本発明は、対象者の健康状況を見守る健康管理システムに関する。
【背景技術】
【０００２】
核家族化及び少子高齢化が進んでいく現在において、配偶者に先立だれた等の理由で、一人暮らしの高齢者が増加している。
【０００３】
高齢者が一人で暮らしている場合、当該高齢者の健康状況をかかりつけ医、家族、介護福祉士等の関係者が把握することが難しい。
【０００４】
そこで、特許文献１には、対象ユーザの安否を当該対象ユーザの関係者が監視できるようにするシステムが開示されている。詳しくは、ユーザ端末を対象ユーザが操作すると、要求信号が送信され、サーバは、当該要求信号を受信すると、要求信号が送信された旨を前記第１端末及び前記第２端末へ通知する構成が開示されている。また、人感センサーから対象ユーザが検知できない旨の非検知信号が送信されると、サーバは、非検知信号が送信された旨を前記第１端末及び前記第２端末へ通知する構成が開示されている。
【先行技術文献】
【特許文献】
【０００５】
【特許文献１】特開２０１４−１７８９９２号公報
【発明の概要】
【発明が解決しようとする課題】
【０００６】
しかしながら、特許文献１の構成では、対象ユーザが体調の異変を感じて、ユーザ端末を操作する、あるいは、人感センサーが対象ユーザを検知できないと認識する等、対象者が異変を感じたり、対象者に異変が生じたりした後に、それらの異変を対象者の関係者に通知することになる。従って、対象者の健康状況を関係者が日頃から把握し、対象者の異変をいち早く察知することはできなかった。
【０００７】
そこで本発明は、上記課題に鑑みて、対象ユーザの健康状況を関係者が把握可能な健康管理システムを提供することを目的とする。
【課題を解決するための手段】
【０００８】
請求項１の発明は、対象ユーザの健康状況を把握可能な健康管理システムであって、
当該健康管理システムは、サーバと医療従事者用端末と対象ユーザ家族用端末とを備え、
前記サーバは、
対象ユーザ識別情報に関連付けて対象ユーザ情報が記憶されている対象ユーザ情報記憶手段と、
対象ユーザの家族を識別する家族識別情報、あるいは医療従事者を識別する医療従事者識別情報に関連付けて、対象ユーザ識別情報が記憶されている対応識別情報記憶手段と、
前記家族識別情報、あるいは前記医療従事者識別情報を受信すると、対応する対象ユーザ識別情報を特定し、特定された対象ユーザ識別情報に関連付けて記憶されている対象ユーザ情報を前記医療従事者用端末、あるいは前記対象ユーザ家族用端末に出力する制御手段とを有する、健康管理システムとした。
【０００９】
請求項２の発明は、前記健康管理システムは、更に、血圧計と接続された対象ユーザ用端末を備え、
当該対象ユーザ用端末は、前記血圧計から対象ユーザの血圧測定結果を受信すると、前記サーバに出力し、
サーバの前記制御手段は、血圧測定結果を受信すると、当該血圧測定結果を対象ユーザ識別情報に関連付けて記憶させる、請求項１に記載の健康管理システムとした。
【００１０】
請求項３の発明は、サーバの前記制御手段は、前記対象ユーザ用端末から対象ユーザ用端末識別情報を受信すると、受信した対象ユーザ用端末識別情報に基づいて、対象ユーザ情報記憶手段内を検索し、受信した対象ユーザ用端末識別情報から特定された対象ユーザ識別情報に関連付けて記憶されている対象ユーザ情報を前記対象ユーザ用端末に出力する、請求項２に記載の健康管理システムとした。
【００１１】
請求項４の発明は、前記対象ユーザ情報記憶手段には、対象ユーザ情報として所見と、当該所見に関連付けてアクセス制御情報が記憶されており、
サーバの前記制御手段は、関連付けて記憶されているアクセス制御情報の内容に応じて、前記所見を前記対象ユーザ家族用端末又は前記対象ユーザ用端末に出力するか否かを判断し、非開示である旨のアクセス制御情報が関連付けられた所見については出力しない、請求項３に記載の健康管理システムとした。
【００１２】
請求項５の発明は、前記対象ユーザ用端末は、
対象ユーザ情報を表示する対象ユーザ用端末表示手段と、
前記サーバからしきい値、血圧測定結果を含む前記対象ユーザ情報を受信すると、血圧測定結果である最高血圧と最低血圧を夫々、時系列に沿って、折れ線グラフで表示させる制御を行い、
グラフ図上のしきい値以上の領域と、しきい値より低い領域とで夫々、別の背景色で表示させる制御を行い、
最高血圧値及び最低血圧値の各測定結果について、対応するしきい値と比較判定し、グラフ上にプロットされた各血圧値近傍の所定の範囲を、判定結果に応じた背景色で表示させる制御を行う対象ユーザ用端末制御手段とを有する、請求項３に記載の健康管理システムとした。
【発明の効果】
【００１３】
請求項１〜５の発明によれば、対象ユーザ情報を医療従事者用端末、あるいは対象ユーザ家族用端末に出力する構成であるため、対象ユーザの家族や医療従事者といった対象ユーザの関係者が、対象ユーザと離れていながらにして、対象ユーザの健康状況を把握することができる。
【００１４】
また特に、請求項４の発明によれば、非開示である旨のアクセス制御情報が関連付けられた所見については対象ユーザ家族用端末又は対象ユーザ用端末に出力しない構成であるため、当該所見が対象ユーザや対象ユーザの家族には知らせるべきではなく、医療従事者間でのみ共有したいものである場合等には便利である。
【００１５】
また特に、請求項５の発明によれば、最高血圧値及び最低血圧値の各測定結果について、対応するしきい値と比較判定し、グラフ上にプロットされた各血圧値近傍の所定の範囲を、周りの領域の背景色に関わらず、判定結果に応じた背景色で表示させる構成とすることによって、最高血圧と最低血圧を１つのグラフ図上に表示させることができる。従って、対象ユーザは、１つのグラフ図を見るだけで、自身の最高血圧と最低血圧の推移と、各血圧値の判定結果を把握することができる。
【図面の簡単な説明】
【００１６】
【図１】本発明に係る実施例１の健康管理システムの全体を示す概念図である。
【図２】本発明に係る実施例１のサーバの全体的な構成を例示的に示す概念図である。
【図３】本発明に係る実施例１のサーバの対象ユーザ情報記憶領域の構造を模式的に示した図である。
【図４】本発明に係る実施例１のサーバの対応識別情報記憶領域の構造を模式的に示した図である。
【図５】本発明に係る実施例１の医療従事者用端末の全体的な構成を例示的に示す概念図である。
【図６】本発明に係る実施例１の対象ユーザ家族用端末の全体的な構成を例示的に示す概念図である。
【図７】本発明に係る実施例１の医療従事者用端末の対象ユーザ情報の表示例を示した図である。
【図８】本発明に係る実施例１の対象ユーザ用端末の全体的な構成を例示的に示す概念図である。
【図９】本発明に係る実施例１の対象ユーザ用端末の血圧測定結果の表示例を示した図である。
【図１０】実施例１の健康管理システムの処理の流れを示す流れ図である。
【図１１】実施例１の健康管理システムの処理の流れを示す流れ図である。
【図１２】実施例１の健康管理システムの処理の流れを示す流れ図である。
【図１３】実施例１の健康管理システムの処理の流れを示す流れ図である。
【発明を実施するための形態】
【００１７】
本発明は、対象ユーザの健康状況を把握可能な健康管理システムであって、当該健康管理システムは、サーバと医療従事者用端末と対象ユーザ家族用端末とを備え、前記サーバは、対象ユーザ識別情報に関連付けて対象ユーザ情報が記憶されている対象ユーザ情報記憶手段と、対象ユーザの家族を識別する家族識別情報、あるいは医療従事者を識別する医療従事者識別情報に関連付けて、対象ユーザ識別情報が記憶されている対応識別情報記憶手段と、前記家族識別情報、あるいは前記医療従事者識別情報を受信すると、対応する対象ユーザ識別情報を特定し、特定された対象ユーザ識別情報に関連付けて記憶されている対象ユーザ情報を前記医療従事者用端末、あるいは前記対象ユーザ家族用端末に出力する制御手段とを有する構成とすることによって、対象ユーザの家族や医療従事者といった対象ユーザの関係者が、対象ユーザと離れていながらにして、対象ユーザの健康状況を把握することができる。
【実施例１】
【００１８】
＜健康管理システムＡの構成＞
図１は、健康管理システムＡの構成を示す概念図である。健康管理システムＡは、主として、サーバ１０と医療従事者用端末３０と対象ユーザ家族用端末５０と対象ユーザ用端末７０とから構成されており、これらはネットワーク９０を通じて接続され、情報及び信号の送受信が相互に可能である。
【００１９】
＜サーバ１０の構成＞
サーバ１０は、プログラム制御により動作する情報処理装置である。サーバ１０のハードウェア構成について、図２を参照して説明する。図２は、サーバ１０のハードウェア構成を模式的に示した概念図である。
【００２０】
図２において、制御手段１１は、例えば、ＣＰＵ(＝Central Processing Unit)であって、後述する記憶手段１２のＨＤ等に格納されているアプリケーションプログラム、オペレーティングシステム（ＯＳ）や制御プログラム等を実行し、記憶手段１２のＲＡＭ等にプログラムの実行に必要な情報、ファイル等を一時的に格納する制御を行う。
【００２１】
＜対象ユーザがアクセスした場合＞
制御手段１１は、対象ユーザ用端末７０から対象ユーザ用端末識別情報と、気分や血圧測定結果等の対象ユーザ情報を受信すると、対象ユーザ情報記憶領域１２１内を検索し、受信した対象ユーザ用端末識別情報から特定された対象ユーザ識別情報に関連付けて、受信した対象ユーザ情報を記憶させる制御を行う。
【００２２】
制御手段１１は、対象ユーザ用端末７０から表示命令と対象ユーザ用端末識別情報を受信すると、受信した対象ユーザ用端末識別情報に基づいて、対象ユーザ情報記憶領域１２１内を検索し、受信した対象ユーザ用端末識別情報から特定された対象ユーザ識別情報に関連付けて記憶されている対象ユーザ情報を対象ユーザ用端末７０に出力する制御を行う。この場合、出力する対象ユーザ情報には、対象ユーザ及び対象ユーザの家族に非開示のアクセス制御情報が関連付けられた所見は含まない。即ち、制御手段１１は、対象ユーザ情報の一つである所見に関連付けられて記憶されているアクセス制御情報の内容（開示、あるいは非開示）に応じて、対象ユーザ用端末７０に出力するか否かを判断し、非開示である旨のアクセス制御情報が関連付けられている所見は出力しない。
【００２３】
＜医療従事者がアクセスした場合＞
制御手段１１は、医療従事者用端末３０から医療従事者識別情報及びパスワードを受信すると、対応識別情報記憶領域１２２内を検索し、受信した医療従事者識別情報及びパスワードと同一の医療従事者識別情報及びパスワードに関連付けて記憶されている対象ユーザ識別情報を特定する制御を行う。
【００２４】
制御手段１１は、特定した対象ユーザ識別情報に基づいて、対象ユーザ情報記憶領域１２１内を検索し、特定した対象ユーザ識別情報と同一の対象ユーザ識別情報に関連付けて記憶されている対象ユーザ情報を医療従事者用端末３０に出力する制御を行う。この場合、出力する対象ユーザ情報には、対象ユーザ及び対象ユーザの家族に非開示のアクセス制御情報が関連付けられた所見も含む。
【００２５】
制御手段１１は、所見等の対象ユーザ情報を受信すると、対象ユーザ情報記憶領域１２１内を検索し、特定した対象ユーザ識別情報と同一の対象ユーザ識別情報に関連付けて、受信した対象ユーザ情報を記憶させる制御を行う。
【００２６】
＜対象ユーザの家族がアクセスした場合＞
制御手段１１は、対象ユーザ家族用端末５０から家族識別情報及びパスワードを受信すると、対応識別情報記憶領域１２２内を検索し、受信した家族識別情報及びパスワードと同一の家族識別情報及びパスワードに関連付けて記憶されている対象ユーザ識別情報を特定する制御を行う。
【００２７】
制御手段１１は、特定した対象ユーザ識別情報に基づいて、対象ユーザ情報記憶領域１２１内を検索し、特定した対象ユーザ識別情報と同一の対象ユーザ識別情報に関連付けて記憶されている対象ユーザ情報を対象ユーザ家族用端末５０に出力する制御を行う。この場合、出力する対象ユーザ情報には、対象ユーザ及び対象ユーザの家族に非開示のアクセス制御情報が関連付けられた所見は含まない。即ち、制御手段１１は、対象ユーザ情報の一つである所見に関連付けられて記憶されているアクセス制御情報の内容（開示、あるいは非開示）に応じて、対象ユーザ家族用端末５０に出力するか否かを判断し、非開示である旨のアクセス制御情報が関連付けられている所見は出力しない。
【００２８】
記憶手段１２のＲＯＭ（図示省略）等は、内部に基本Ｉ／Ｏプログラム等のプログラム、基本処理において使用する各種データを記憶する。記憶手段１２のＲＡＭ（図示省略）等は各種データを一時記憶するためのものであり、ＣＰＵ等の制御手段１１の主メモリ、ワークエリア等として機能する。
【００２９】
外部記憶ドライブ１３は、記録媒体へのアクセスを実現するためのものであり、メディア（記録媒体）１４に記憶されたプログラム等をサーバ１０にロードすることができる。尚、メディア１４には、例えば、フレキシブルディスク（ＦＤ）、ＣＤ−ＲＯＭ、ＣＤ−Ｒ、ＣＤ−ＲＷ、ＰＣカード、ＤＶＤ、ＩＣメモリカード、ＭＯ、メモリスティック等が含まれる。
【００３０】
記憶手段１２は、例えば、ＨＤ（ハードディスク）等の外部記憶装置を有しており、大容量メモリとして機能する。記憶手段１２のＨＤには、アプリケーションプログラム、ＯＳ、制御プログラム、関連プログラム等が格納される。また、記憶手段１２のＨＤ内には、図３に示すように、対象ユーザ情報記憶領域１２１が設けられており、対象ユーザの識別情報に関連付けて、対象ユーザの氏名・住所・生年月日・既往症・血圧測定結果・医師や介護福祉士等の医療従事者の所見・当該対象ユーザが使用している対象ユーザ用端末７０の識別情報等の対象ユーザ情報が記憶されている。詳しくは、「血圧測定結果」として、測定された日時と共に最高血圧値及び最低血圧値が記憶されている。「しきい値」として、この値以上高い場合には異常と判定する値が最低血圧と最低血圧とで夫々記憶されている。「所見」として、医療従事者が入力した所見が、当該所見を入力した日時と共に記憶されている。「開示/非開示」は、各所見と関連付けて記憶されるアクセス制御情報であり、当該所見を、対象ユーザ及び対象ユーザの家族が閲覧できるか否かを示すものである。従って、「開示」のアクセス制御情報と関連付けて記憶されている所見については、対象ユーザ及び対象ユーザの家族は閲覧できるが、「非開示」のアクセス制御情報と関連付けて記憶されている所見については、対象ユーザ及び対象ユーザの家族は閲覧できない。「気分」として、対象ユーザが入力した「すごく良い」、「良い」、「普通」、「悪い」等の対象ユーザの感じた気分が入力した日時と共に記憶されている。「対象ユーザ用端末識別情報」には、当該対象ユーザが使用している対象ユーザ用端末７０に係る識別情報が記憶されている。
【００３１】
なお、対象ユーザ情報は、上述した内容に限定されるわけではなく、例えば、対象ユーザ情報として、１分間の脈拍数（≒心拍数）といった脈拍測定結果が、測定された日時と共に記憶される構成としても良い。
【００３２】
また、記憶手段１２のＨＤ内には、図４に示すように、対応識別情報記憶領域１２２が設けられており、医療従事者識別情報、家族識別情報といった識別情報及びパスワードと関連付けて、対象ユーザ識別情報が記憶されている。従って、医療従事者識別情報、家族識別情報といった識別情報及びパスワードに基づいて、対象ユーザ識別情報を特定できる。
【００３３】
入力手段１６は、例えば、キーボードやポインティングデバイス（マウス等）、タッチパネルである。入力手段１６を通じて、サーバ１０に対して、サーバ１０を制御するコマンド等を入力できる。
【００３４】
表示手段１７は、例えば液晶ディスプレイ、有機ELディスプレイ、CRTであり、入力手段１６から入力されたコマンドや、それに対するサーバ１０の応答出力等を表示するものである。
【００３５】
システムバス１９は、サーバ１０内のデータの流れを司るものである。１８は通信手段であり、この通信手段１８を介してサーバ１０は外部装置と情報や信号のやり取りを行う。
【００３６】
尚、以上の各装置と同等の機能を実現するソフトウェアにより、ハードウェア装置の代替として構成することもできる。
【００３７】
本実施例では、メディア１４から本実施例に係るプログラム及び関連データを直接記憶手段１２のＲＡＭ等にロードして実行させる例を示しているが、これ以外にも、本実施例に係るプログラムを動作させる度に、既にプログラムがインストールされている記憶手段１２のＨＤ等から記憶手段１２のＲＡＭ等にロードするようにしてもよい。また、本実施例に係るプログラムを記憶手段１２のＲＯＭ等に記録しておき、これをメモリマップの一部をなすように構成し、直接制御手段１１で実行することも可能である。
【００３８】
また、本実施例では、説明の便宜のため、サーバ１０を１つの装置で実現した構成について述べるが、複数の装置にリソースを分散した構成によって実現してもよい。例えば、記憶や演算のリソースを複数の装置に分散した形に構成してもよい。或いは、サーバ１０上で仮想的に実現される構成要素毎にリソースを分散し、並列処理を行うようにしてもよい。
【００３９】
＜医療従事者用端末３０の構成＞
医療従事者用端末３０は、対象ユーザかかりつけの医師や看護師や介護福祉士等の医療従事者が用いる、例えば、スマートフォン、ＰＤＡ(＝Personal Digital Assistant)、タブレットPC（＝Personal Computer）、ノートPC、デスクトップPC等の、携帯型あるいは据付型の情報処理装置である。医療従事者用端末３０のハードウェア構成について、図５を参照して説明する。図５は、医療従事者用端末３０のハードウェア構成を模式的に示したブロック図である。
【００４０】
医療従事者用端末３０は、図５に示すように少なくとも入力手段３１と表示手段３２と制御手段３３と通信手段３４と計時手段３５と撮影手段３６を有している。
【００４１】
入力手段３１は例えばテンキー、キーボード、タッチパネル、ポインティングデバイス（マウス等）であって、医療従事者からの情報やコマンドの入力操作を受け付ける。特に入力手段３１は、所見等対象ユーザ情報や医療従事者識別情報やパスワードの入力操作を受け付ける。表示手段３２は例えば液晶ディスプレイ、有機ＥＬディスプレイであって、入力手段３１から入力されたコマンドや、それに対する医療従事者用端末３０の応答出力等を表示するものである。特に表示手段３２は、対象ユーザ情報を表示する。
【００４２】
制御手段３３は例えばMPU（＝Micro Processing Unit）、あるいはCPUであって、入力手段３１を通じて医療従事者からの医療従事者識別情報やパスワードや所見等の対象ユーザ情報の入力操作を認識し、入力された医療従事者識別情報等を外部に出力させる制御を行う。なお、入力手段３１を通じて医療従事者から所見等の対象ユーザ情報の入力操作を認識した場合、計時手段３５を参照し、参照時の日時を当該対象ユーザ情報の入力日時として、当該対象ユーザ情報と共に外部に出力させる制御を行う。また、制御手段３３は、サーバ１０から通信手段３４を通じて対象ユーザ情報を受信すると、当該情報を表示手段３２に表示させる制御を行う。詳しくは、受信した対象ユーザ情報を、図７に示すように時系列に沿って表示させる。
【００４３】
通信手段３４は、外部機器との通信を司るものであり、制御手段３３からの命令に応じて医療従事者識別情報等を、信号や電波等に変換して外部に出力すると共に、サーバ１０から出力された対象ユーザ情報に係る信号や電波等を受信する。計時手段３５は、例えばリアルタイムクロックであって、現在時刻を計時する。撮影手段３６は、例えばデジタルカメラやビデオカメラであって、被写体を撮影することができる。従って、対象ユーザの患部等を撮影し、当該画像データや動画データを所見に添付すれば、他の医療従事者が当該所見を閲覧した際に、状況の把握が容易となる。
【００４４】
対象ユーザ家族用端末５０は、対象ユーザの家族が用いる、例えば、スマートフォン、ＰＤＡ(＝Personal Digital Assistant)、タブレットPC（＝Personal Computer）、ノートPC、デスクトップPC等の、携帯型あるいは据付型の情報処理装置である。対象ユーザ家族用端末５０のハードウェア構成について、図６を参照して説明する。図６は、対象ユーザ家族用端末５０のハードウェア構成を模式的に示したブロック図である。
【００４５】
対象ユーザ家族用端末５０は、図６に示すように少なくとも入力手段５１と表示手段５２と制御手段５３と通信手段５４とを有している。
【００４６】
入力手段５１は例えばテンキー、キーボード、タッチパネル、ポインティングデバイス（マウス等）であって、対象ユーザの家族からの情報やコマンドの入力操作を受け付ける。特に入力手段５１は、家族識別情報やパスワードの入力操作を受け付ける。表示手段５２は例えば液晶ディスプレイ、有機ＥＬディスプレイであって、入力手段５１から入力されたコマンドや、それに対する対象ユーザ家族用端末５０の応答出力等を表示するものである。特に表示手段５２は、対象ユーザ情報を表示する。
【００４７】
制御手段５３は例えばMPU（＝Micro Processing Unit）、あるいはCPUであって、入力手段５１を通じて対象ユーザの家族からの家族識別情報やパスワードの入力操作を認識し、入力された家族識別情報等を外部に出力させる制御を行う。また、制御手段５３は、サーバ１０から通信手段５４を通じて対象ユーザ情報を受信すると、当該情報を表示手段５２に表示させる制御を行う。
【００４８】
通信手段５４は、外部機器との通信を司るものであり、制御手段５３からの命令に応じて家族識別情報等を、信号や電波等に変換して外部に出力すると共に、サーバ１０から出力された対象ユーザ情報に係る信号や電波等を受信する。
【００４９】
＜対象ユーザ用端末７０の構成＞
対象ユーザ用端末７０は、対象ユーザが用いる、例えば、タブレットPC（＝Personal Computer）、ノートPC、デスクトップPC等の、携帯型あるいは据付型の情報処理装置である。また、対象ユーザ端末７０には、図１に示すように、血圧計８０が有線又は無線で接続されており、対象ユーザ端末７０と血圧計８０とで相互に情報や命令のやり取りが可能である。次に、対象ユーザ用端末７０のハードウェア構成について、図８を参照して説明する。図８は、対象ユーザ用端末７０のハードウェア構成を模式的に示したブロック図である。
【００５０】
対象ユーザ用端末７０は、図８に示すように少なくとも入力手段７１と表示手段７２と通信手段７３と計時手段７４と音声出力手段７５と識別情報記憶手段７６と制御手段７７とを有している。
【００５１】
入力手段７１は例えばタッチパネルであって、対象ユーザからの情報やコマンドの入力操作を受け付ける。特に、入力手段７１は、気分等の対象ユーザ情報の入力操作を受け付ける。表示手段７２は例えば液晶ディスプレイ、有機ＥＬディスプレイであって、入力手段７１から入力されたコマンドや、それに対する対象ユーザ用端末７０の応答出力等を表示するものである。特に表示手段７２は、血圧測定結果等の対象ユーザ情報を表示する。
【００５２】
通信手段７３は、外部機器との通信を司るものであり、制御手段７７からの命令に応じて対象ユーザ情報等を、信号や電波等に変換して外部に出力すると共に、サーバ１０から出力された対象ユーザ情報に係る信号や電波等を受信する。計時手段７４は、例えばリアルタイムクロックであって、現在時刻を計時する。音声出力手段７５は、例えばスピーカであって、音声を出力する。識別情報記憶手段７６は、当該対象ユーザ用端末７０を識別する対象ユーザ用端末識別情報が記憶されている。
【００５３】
制御手段７７は例えばMPU（＝Micro Processing Unit）、あるいはCPUであって、計時手段７４を参照し、予め設定された気分入力時刻が到来したと認識すると、表示手段７２にその旨を表示させる制御を行うと共に、音声出力手段７５にその旨を報知させる制御を行う。また、制御手段７７は、入力手段７１を通じて対象ユーザからの気分等の対象ユーザ情報の入力操作を認識し、入力された対象ユーザ情報を外部に出力させる制御を行う。詳しくは、気分等の対象ユーザ情報の入力操作を認識した場合、計時手段７４を参照し、参照時の日時を当該対象ユーザ情報の入力日時として、当該対象ユーザ情報と共に外部に出力させる制御を行う。また、制御手段７７は、計時手段７４を参照し、予め設定された血圧測定時刻が到来したと認識すると、表示手段７２にその旨を表示させる制御を行うと共に、音声出力手段７５にその旨を報知させる制御を行う。また、制御手段７７は、血圧計８０から最高血圧値、最低血圧値といった血圧の測定結果を受信すると、当該測定結果を対象ユーザ情報として外部に出力させる制御を行う。詳しくは、血圧の測定結果を受信した場合、計時手段７４を参照し、参照時の日時を血圧の測定日時として、当該血圧の測定結果と共に外部に出力させる制御を行う。また、制御手段７７は、サーバ１０から通信手段７３を通じて血圧の測定日時、しきい値、血圧測定結果等の対象ユーザ情報を受信すると、当該情報を表示手段７２に表示させる制御を行う。この制御について、図９を用いて以下詳しく説明する。
【００５４】
制御手段７７は、血圧測定結果である最高血圧と最低血圧を夫々、時系列に沿って、折れ線グラフで表示させる制御を行う。また、制御手段７７は、原則的に、グラフ図上のしきい値以上の領域と、しきい値より低い領域とで夫々、別の背景色で表示させる制御を行う。図９に示す例では、最高血圧のしきい値が「１４０」に設定されているため、値が１４０以上の領域は、背景を灰色で表示させ、値が１４０より低い領域は背景を白色で表示させる。また、最低血圧のしきい値が「９０」に設定されているため、値が９０以上の領域は、背景を灰色で表示させ、値が９０より低い領域は背景を白色で表示させる。
【００５５】
しかし、この原則通りに背景色を表示させると、最高血圧の場合には、「健康」と判定される値（＝しきい値より低い値）であっても、最低血圧の場合には、「異常」と判定される値（＝しきい値以上の値）があり、１枚のグラフ図上に最高血圧値と最低血圧値とを、判定結果に応じた適切な背景色と共に表示させることができない。
【００５６】
そこで、制御手段７７は、最高血圧値及び最低血圧値の各測定結果について、対応するしきい値と比較判定し、グラフ上にプロットされた各血圧値近傍の所定の範囲を、周りの領域の背景色に関わらず、判定結果に応じた背景色で表示させる制御を行う。例えば、図９では、最低血圧のしきい値が「９０」に設定されているため、値が９０以上の領域は、背景を灰色で表示されている。一方、６月２９日の朝の最高血圧値は、「１０５」であり、最高血圧のしきい値「１４０」と比較すると「健康」と判定される値である。従って、制御手段７３は、グラフ上にプロットされた６月２９日の朝の最高血圧値近傍の所定の範囲（図９では約２セル分）を、判定結果に応じた背景色「白色」で表示させる。
【００５７】
このように、最高血圧値及び最低血圧値の各測定結果について、対応するしきい値と比較判定し、グラフ上にプロットされた各血圧値近傍の所定の範囲を、周りの領域の背景色に関わらず、判定結果に応じた背景色で表示させる構成とすることによって、最高血圧と最低血圧を１つのグラフ図上に表示させることができる。従って、対象ユーザは、１つのグラフ図を見るだけで、自身の最高血圧と最低血圧の推移と、各血圧値の判定結果を把握することができる。
【００５８】
なお、本実施例においては、説明の便宜上、異常を示す背景色として「灰色」、健康を示す背景色として「白色」を用いる構成を示したが、背景色はこの構成に限定されるものではなく、例えば、異常を示す背景色として「赤色」、健康を示す背景色として「緑色」を用いる構成としても良い。
【００５９】
＜血圧計８０の構成＞
血圧計８０は、対象ユーザの最高血圧と最低血圧を測定し、測定結果を対象ユーザ用端末７０に出力可能な電子式の血圧計である。例えば、血圧計８０は、対象ユーザの上腕の動脈をカフ（腕帯）で圧迫して、その後、カフを減圧する過程で血管壁に生じる振動（脈波）から血圧を測定するオシロメトリック式の血圧計である。
【００６０】
なお、本実施例においては、対象ユーザ用端末７０に血圧計８０を接続し、サーバ１０で対象ユーザの血圧測定結果を対象ユーザ情報として記憶・管理する構成を示したが、この構成に限定されるものではない。例えば、対象ユーザ用端末７０にパルスオキシメータを接続し、サーバ１０で対象ユーザの心拍（≒脈拍）数測定結果を対象ユーザ情報として記憶・管理する構成としても良い。あるいは、対象ユーザ用端末７０に歩数計を接続し、サーバ１０で対象ユーザの歩数測定結果を対象ユーザ情報として記憶・管理する構成としても良い。更には、対象ユーザ用端末７０に体重計を接続し、サーバ１０で対象ユーザの体重測定結果を対象ユーザ情報として記憶・管理する構成としても良い。
【００６１】
＜ネットワーク９０の構成＞
ネットワーク９０は、典型的には、ＬＡＮ（Local Area Network）であるが、有線／無線を問わずデータ送受信可能な回線であればどのような構成でもよい。例えば、公衆回線（アナログ回線、ＩＳＤＮ（Integrated Services Digital Network）等）やＷＡＮ（Wide Area Network）、無線ＬＡＮ等により構成してもよい。なお、ネットワーク９０上の通信プロトコルは、例えば、ＴＣＰ／ＩＰ（Transmission Control Protocol/Internet Protocol）等を採用することができる。
【００６２】
次に、健康管理システムAの処理の流れについて説明する。
【００６３】
＜対象ユーザから操作された場合＞
図１０に示すように、対象ユーザ用端末７０は、予め設定された血圧測定時刻が到来したと認識すると、表示手段７２上にその旨を表示すると共に、音声出力手段７５を通じてその旨を報知する（ステップＳ９０１）。対象ユーザは、表示手段７２上の表示や、音声出力手段７５による報知によって、血圧測定時刻が到来したことを知ると、血圧計８０を用いて自身の血圧を測定する。血圧計８０から対象ユーザの血圧測定結果を受信すると（ステップＳ９０２）、対象ユーザ用端末７０は、その血圧測定結果等を、識別情報記憶手段７６から呼び出した対象ユーザ用端末識別情報と共に、サーバ１０に出力する（ステップＳ９０３）。血圧測定結果等及び対象ユーザ用端末識別情報を受信すると、サーバ１０は、対象ユーザ情報記憶領域１２１内を検索し、受信した対象ユーザ用端末識別情報から特定された対象ユーザ識別情報に関連付けて、受信した血圧測定結果等を記憶する（ステップＳ９０４）。
【００６４】
また、対象ユーザ用端末７０は、予め設定された気分入力時刻が到来したと認識すると、表示手段７２上にその旨を表示すると共に、音声出力手段７５を通じてその旨を報知する。対象ユーザは、表示手段７２上の表示や、音声出力手段７５による報知によって、気分入力時刻が到来したことを知ると、自身の現在の気分を、入力手段７１を通じて入力する。入力手段７１を通じて対象ユーザの気分を受信すると、対象ユーザ用端末７０は、その気分等を、識別情報記憶手段７６から呼び出した対象ユーザ用端末識別情報と共に、サーバ１０に出力する。気分等及び対象ユーザ用端末識別情報を受信すると、サーバ１０は、対象ユーザ情報記憶領域１２１内を検索し、受信した対象ユーザ用端末識別情報から特定された対象ユーザ識別情報に関連付けて、受信した気分等を記憶する。
【００６５】
また、図１１に示すように、対象ユーザが入力手段７１を通じて血圧測定結果を含む対象ユーザ情報を表示する旨の表示命令を入力すると（ステップＳ１００１）、対象ユーザ用端末７０は、当該命令を、識別情報記憶手段７６から呼び出した対象ユーザ用端末識別情報と共に、サーバ１０に出力する（ステップＳ１００２）。当該表示命令及び対象ユーザ用端末識別情報を受信すると、サーバ１０は、対象ユーザ情報記憶領域１２１内を検索し（ステップＳ１００３）、受信した対象ユーザ用端末識別情報から特定された対象ユーザ識別情報に関連付けて記憶されている血圧測定結果を含む対象ユーザ情報を呼び出して、対象ユーザ用端末７０に出力する（ステップＳ１００４）。この場合、出力する対象ユーザ情報には、対象ユーザ及び対象ユーザの家族に非開示の所見は含まない。
【００６６】
また、対象ユーザ用端末７０は、サーバ１０から血圧測定結果を含む対象ユーザ情報を受信すると、図９に示すように、当該情報を表示手段７２上に表示する（ステップＳ１００５）。詳しくは、対象ユーザ用端末７０は、血圧測定結果である最高血圧と最低血圧を夫々、時系列に沿って、折れ線グラフで表示する。また、対象ユーザ用端末７０は、グラフ図上のしきい値以上の領域と、しきい値より低い領域とを、夫々別々の背景色で表示する。また、対象ユーザ用端末７０は、最高血圧値及び最低血圧値の各測定結果について、対応するしきい値と比較判定し、グラフ上にプロットされた各血圧値近傍の所定の範囲を、周りの領域の背景色に関わらず、判定結果に応じた背景色で表示する。
【００６７】
＜対象ユーザの家族から操作された場合＞
図１２に示すように、対象ユーザの家族が入力手段５１を通じて家族識別情報及びパスワードを入力すると（ステップＳ１１０１）、対象ユーザ家族用端末５０は入力された家族識別情報等をサーバ１０に出力する（ステップＳ１１０２）。サーバ１０は、対象ユーザ家族用端末５０から家族識別情報及びパスワードを受信すると、対応識別情報記憶領域１２２内を検索し（ステップＳ１１０３）、受信した家族識別情報及びパスワードと同一の家族識別情報及びパスワードに関連付けて記憶されている対象ユーザ識別情報を特定し（ステップＳ１１０４で「ＹＥＳ」）、特定された対象ユーザ識別情報に係る対象ユーザ情報へのアクセスを認める。なお、対応識別情報記憶領域１２２内を検索したが、同一の家族識別情報及びパスワードが見つからず、対象ユーザ識別情報を特定できなかった場合には、サーバ１０は、対象ユーザ家族用端末５０にエラーを返す（ステップＳ１１０４で「ＮＯ」）。
【００６８】
サーバ１０は、特定した対象ユーザ識別情報に基づいて、対象ユーザ情報記憶領域１２１内を検索し（ステップＳ１１０５）、特定した対象ユーザ識別情報と同一の対象ユーザ識別情報に関連付けて記憶されている対象ユーザ情報を対象ユーザ家族用端末５０に出力する（ステップＳ１１０６）。この場合、出力する対象ユーザ情報には、対象ユーザ及び対象ユーザの家族に非開示の所見は含まない。
【００６９】
対象ユーザ家族用端末５０は、サーバ１０から対象ユーザ情報を受信すると、当該情報を表示手段５２上に表示する（ステップＳ１１０７）。
【００７０】
このように、対象ユーザの家族は、対象ユーザ家族用端末５０を用いて、対象ユーザの血圧測定結果やその日の気分を知ることができる。そのため、対象ユーザと対象ユーザの家族が離れて暮らしている場合でも、対象ユーザの日々の健康状態を把握することができる。従って、対象ユーザの健康状態の変化に対し、適切に対応することができる。また、対象ユーザとしても、家族が自分の健康状態を把握してくれているという安心感を得ることができる。
【００７１】
＜医療従事者から操作された場合＞
図１３に示すように、医療従事者が入力手段３１を通じて医療従事者識別情報及びパスワードを入力すると（ステップＳ１２０１）、医療従事者用端末３０は入力された医療従事者識別情報等をサーバ１０に出力する（ステップＳ１２０２）。サーバ１０は、医療従事者用端末３０から医療従事者識別情報及びパスワードを受信すると、対応識別情報記憶領域１２２内を検索し（ステップＳ１２０３）、受信した医療従事者識別情報及びパスワードと同一の医療従事者識別情報及びパスワードに関連付けて記憶されている対象ユーザ識別情報を特定し（ステップＳ１２０４で「ＹＥＳ」）、特定された対象ユーザ識別情報に係る対象ユーザ情報へのアクセスを認める。なお、対応識別情報記憶領域１２２内を検索したが、同一の医療従事者識別情報及びパスワードが見つからず、対象ユーザ識別情報を特定できなかった場合には、サーバ１０は、医療従事者用端末３０にエラーを返す（ステップＳ１２０４で「ＮＯ」）。
【００７２】
サーバ１０は、特定した対象ユーザ識別情報に基づいて、対象ユーザ情報記憶領域１２１内を検索し（ステップＳ１２０５）、特定した対象ユーザ識別情報と同一の対象ユーザ識別情報に関連付けて記憶されている対象ユーザ情報を医療従事者用端末３０に出力する（ステップＳ１２０６）。この場合、出力する対象ユーザ情報には、対象ユーザ及び対象ユーザの家族に非開示の所見も含む。
【００７３】
医療従事者用端末３０は、サーバ１０から対象ユーザ情報を受信すると、当該情報を表示手段３２上に表示する（ステップＳ１２０７）。詳しくは、受信した対象ユーザ情報を、図７に示すように時系列に沿って表示させる。
【００７４】
このように、受信した対象ユーザ情報が、時系列に沿って表示される構成であるため、医療従事者は、対象ユーザに係る情報を時系列に沿って把握することができ、便宜である。
【００７５】
医療従事者は、対象ユーザを診察・介護した際の所見等を、入力手段３１を通じて入力する。入力手段３１を通じて対象ユーザの所見等の入力操作を受け付けると（ステップＳ１２０８）、医療従事者用端末３０は、入力された所見等を、サーバ１０に出力する（ステップＳ１２０９）。所見等を受信すると、サーバ１０は、対象ユーザ情報記憶領域１２１内を検索し、特定した対象ユーザ識別情報と同一の対象ユーザ識別情報に関連付けて、受信した所見等を記憶する（ステップＳ１２１０）。
【００７６】
このように、対象ユーザに関わる医療従事者は、医療従事者用端末３０を用いて、対象ユーザの血圧測定結果やその日の気分を知ることができる。そのため、担当している対象ユーザの日々の健康状態を把握することができる。従って、担当している対象ユーザの健康状態の変化に対し、適切に対応することができる。また、対象ユーザとしても、医療従事者が自分の健康状態を把握してくれているという安心感を得ることができる。また、医療従事者は、自身が担当している対象ユーザについて、他の医療従事者の入力した所見を閲覧することができ、１人の対象ユーザについて、複数の医療従事者が連携して対応することができる。例えば、介護福祉士が入力した対象ユーザの所見を医師が閲覧することで、当該所見を踏まえた適切な診療を行うことができる。
【００７７】
なお、本実施例では、対象ユーザの家族は対象ユーザ情報を閲覧できるだけで、情報を入力することのできない構成が開示されていたが、この構成に限定されるものではない。例えば、対象ユーザの家族が対象ユーザ家族用端末５０を通じて、また、医療従事者が医療従事者用端末３０を通じて、サーバ１０の対象ユーザ情報記憶領域１２１に、対象ユーザ情報としてメモを記憶可能な構成とする。このメモには、開示/非開示といったアクセス制御情報は関連づけて記憶されておらず、対象ユーザ、対象ユーザの家族、医療従事者のいずれも閲覧できる。そのため、対象ユーザの家族、あるいは医療従事者が、メモとして相手方への伝達・依頼事項を入力しておけば、対象ユーザの家族、あるいは医療従事者は、当該メモの内容を踏まえて適切な対応を採ることができ、対象ユーザの家族と医療従事者間で連携して対象ユーザに対応することができる。
【００７８】
以上、本発明の実施例について詳述したが、本発明は、例えば、システム、装置、方法、プログラムもしくは記憶媒体等としての実施態様を取ることが可能である。
【００７９】
また、本発明は、上述した実施例の機能を実現するプログラムを、システムあるいは装置に、直接あるいは遠隔から供給する。そして、そのシステムあるいは装置のコンピュータが供給された当該プログラムからプログラムコードを読み出して実行することによって達成される場合を含む。
【００８０】
したがって、本発明の機能処理をコンピュータで実現するために、このコンピュータにインストールされるプログラム自体も本発明の技術的範囲に含まれる。つまり、本発明は、本発明の機能処理を実現するためのコンピュータプログラム自体も含む。この場合、プログラムの提供方法としては、ＣＤ−ＲＯＭ、ＤＶＤ等の記憶媒体を用いて提供する方法や、電気通信回線を介して提供する方法等が含まれる。
【符号の説明】
【００８１】
Ａ：健康管理システム、
１０：サーバ、１１：制御手段、１２：記憶手段、１２１：対象ユーザ情報記憶領域、１２２：対応識別情報記憶領域、１３：外部記憶ドライブ、１４：メディア、１６：入力手段、１７：表示手段、１８：通信手段、１９：バス、
３０：医療従事者用端末、３１：入力手段、３２：表示手段、３３：制御手段、３４：通信手段、３５：計時手段、３６：撮影手段、
５０：対象ユーザ家族用端末、５１：入力手段、５２：表示手段、５３：制御手段、５４：通信手段、
７０：対象ユーザ用端末、７１：入力手段、７２：表示手段、７３：通信手段、７４：計時手段、７５：音声出力手段、７６：識別情報記憶手段、７７：制御手段
【図１】
2016186771.tif 000003
【図２】
2016186771.tif 000004
【図３】
2016186771.tif 000005
【図４】
2016186771.tif 000006
【図５】
2016186771.tif 000007
【図６】
2016186771.tif 000008
【図７】
2016186771.tif 000009
【図８】
2016186771.tif 000010
【図９】
2016186771.tif 000011
【図１０】
2016186771.tif 000012
【図１１】
2016186771.tif 000013
【図１２】
2016186771.tif 000014
【図１３】
2016186771.tif 000015